(57)【要約】【課題】  邪魔板を貯湯タンク内に設ける工数を低減し、低コストで製造する事が可能な横置き型給湯器を提供する事。【解決手段】  横長筒状を呈し、左右両端部を鏡板にて閉成して形成された貯湯タンクと、貯湯タンクの底部から流出させた水を加熱して沸かした後、貯湯タンクの上部から流入させる外部加熱手段と、貯湯タンク内の底部近傍に長手方向に配設され、下方に向かって形成された複数の給水孔から水を供給する給水管と、貯湯タンクの長手方向の少なくとも一方の内壁面と、短手方向の端部が当接しながら延伸する邪魔板とを備える横置き型給湯器であって、邪魔板は、その長手方向の両端部を鏡板の内面と固定する事を特徴により、貯湯タンクの長手方向の内壁面と、邪魔板の短手方向の端部とを直接的に溶接する必要がなくなり、邪魔板を固定する為の工数の削減が可能となり、コストを低減する事が可能となる。【選択図】  図２
2005156009.tif 000002
【特許請求の範囲】
【請求項１】
横長筒状を呈し、左右両端部を鏡板（２４）にて閉成して形成され、その長手方向を略水平に設置した貯湯タンク（２０）と、
該貯湯タンク（２０）の底部（２３）から流出させた水を加熱して湧かした後、前記貯湯タンク（２０）の上部から流入させる外部加熱手段（３０）と、
前記貯湯タンク（２０）内の底部（２３）近傍に長手方向に配設され、下方に向かって形成された複数の給水孔（１１ａ）から水を供給する給水管（１１）と、
前記貯湯タンク（２０）の長手方向の少なくとも一方の内壁面（２２）と、短手方向の端部が当接しながら延伸する邪魔板（２１）とを備える横置き型給湯器（１００）であって、
前記邪魔板（２１）は、その長手方向の両端部を前記鏡板（２４）の内面と固定する事を特徴とする横置き型給湯器。
【請求項２】
前記鏡板（２４）と前記邪魔板（２１）の長手方向の端部とは、略Ｌ字型の留め具（２５）を介して固定する事を特徴とする請求項１に記載の横置き型給湯器。
【請求項３】
前記邪魔板（２１）の自由端部（２１ａ）は、下方に向かって所定の曲面状に形成される事を特徴とする請求項１または２に記載の横置き型給湯器。
【請求項４】
前記邪魔板（２１）は、前記貯湯タンク（２０）の短手方向と略直交するように、複数設けられる事を特徴とする請求項１乃至３のいずれかに記載の横置き型給湯器。
【発明の詳細な説明】
【技術分野】
【０００１】
本発明は、横長筒状の貯湯タンクに供給した水を外部加熱手段で湧かした後再び貯湯タンクに戻して貯湯し、必要に応じて出湯する給湯器に関するものである。
【背景技術】
【０００２】
特許文献１に示す通り、従来、この種の給湯器に用いられる貯湯タンク内の邪魔板は、給水孔から下方に向かって流入する水が、貯湯タンクの底部にあたり、そのまま貯湯タンクの内壁面に沿って上昇するように流通し、貯湯タンク上部に層をなすように貯えられる高温の湯と混ざってしまう事を阻止する為に設けられるものである。
【０００３】
上述したような理由で用いられるこの邪魔板は、従来は、貯湯タンクの長手方向の内壁面と、邪魔板の長手方向の端部とを、溶接などの手法で直接的に接合している。
【特許文献１】特開２００２−２８６２９１号公報
【発明の開示】
【発明が解決しようとする課題】
【０００４】
しかし、邪魔板の長さは、貯湯タンクの長さと略等しく形成されるものであり、その長さは貯湯タンクの大きさにもよるが、およそ数メートル相当にもなるので、貯湯タンクの長手方向の内壁面と邪魔板の短手方向の端部とを隙間無く直接的に溶接する事は工数を増加させてしまい、ひいては横置き型給湯器の製造コストそのものも増大し、問題となっていた。
【０００５】
本発明は、邪魔板を貯湯タンク内に設ける工数を低減し、低コストで製造する事が可能な横置き型給湯器を提供する事を目的とする。
【課題を解決するための手段】
【０００６】
本発明は上記目的を達成するために、以下の技術的手段を採用する。
【０００７】
請求項１に記載の横置き型給湯器は、横長筒状を呈し、左右両端部を鏡板にて閉成して形成され、その長手方向を略水平に設置した貯湯タンクと、貯湯タンクの底部から流出させた水を加熱して沸かした後、貯湯タンクの上部から流入させる外部加熱手段と、貯湯タンク内の底部近傍に長手方向に配設され、下方に向かって形成された複数の給水孔から水を供給する給水管と、貯湯タンクの長手方向の少なくとも一方の内壁面と、短手方向の端部が当接しながら延伸する邪魔板とを備える横置き型給湯器であって、邪魔板は、その長手方向の両端部を鏡板の内面と固定する事を特徴とする。
【０００８】
この発明により、貯湯タンク内に邪魔板を固定する手法において、貯湯タンクの長手方向の内壁面と、邪魔板の短手方向の端部とを直接的に溶接する必要がなくなり、邪魔板の長手方向の両端部のみを鏡板に固定すればよくなるので、邪魔板を固定する為の工数の削減が可能となり、ひいては横置き型給湯器の製造コストを低減する事が可能となる。
【０００９】
請求項２に記載の横置き型給湯器における鏡板と邪魔板の長手方向の端部とは、略Ｌ字型の留め具を介して接合する事を特徴とする。
【００１０】
鏡板と邪魔板の長手方向の端部との接合方法は複数考えられる。例えば鏡板と邪魔板の長手方向の端部とを溶接により直接的に接合するなどである。
【００１１】
しかし、溶接する事そのものにもコストと工数とが掛かる。例えば溶接技術を修得している溶接技術者を用いなければならず、また溶接の為の機材も揃えなければならない。
【００１２】
また溶接する場合だと、鏡板の材質にも制限が設けられる可能性があるとともに、ある程度の厚さが要求されてしまう。
【００１３】
この発明により、鏡板と邪魔板の長手方向の端部とを略Ｌ字型の留め具によって固定するので、邪魔板の固定の為に溶接作業を用いる事がなくなる。具体的には、鏡面と略Ｌ字型の留め具とをネジ等で止めると共に、略Ｌ字型の留め具と、邪魔板の長手方向の端部とをネジなどで止めると言う、特殊な技能を必要としない簡便な手法で邪魔板を固定する事が可能となるので、邪魔板を固定する為の工数を更に削減する事が可能になるとともに、横置き型給湯器の製造コストをより低減する事が可能となる。
【００１４】
請求項３に記載の横置き型給湯器における邪魔板の自由端部は、下方に向かって所定の曲面状に形成される事を特徴とする。
【００１５】
この発明により、底部から貯湯タンクの長手方向の内壁面に沿って上方へと上昇する、流入したばかりの温度の低い水を、より確実に貯湯タンク下方へとガイドする事が可能となるので、流入したばかりの温度の低い水と貯湯タンク上方に層をなす温度の高い湯とが混ざり、湯の温度が下がる事をより確実に抑制する事が可能となる。
【００１６】
請求項４に記載の横置き型給湯器における邪魔板は、貯湯タンクの短手方向と略直交するように、複数設けられる事を特徴とする。
【００１７】
本願発明の邪魔板の短手方向における端部は、貯湯タンクの長手方向の内壁面と当接しているだけであり、完全な防水加工が施されている訳ではない。そのため、給水孔から流入し底部に反射し内壁面に沿って上昇する水が当接部位からにじみ出て、更に上昇を続け、最終的には貯湯タンク上部に層をなすように貯湯される高温の湯と混ざる可能性がある。
【００１８】
この発明により、邪魔板を複数設ける事により、最も底部に近い邪魔板と内壁面との当接部位からにじみ出た水の上昇を、その上に配設される邪魔板にて阻止する事が可能となるので、流入したばかりの温度の低い水の上昇、ならびに貯湯タンク上部に層をなすように貯湯される高温の湯との混合を確実に阻止する事が可能となる。
【発明を実施するための最良の形態】
【００１９】
（第一実施形態）
本発明の第一実施形態を図１〜図４を用いて説明する。
【００２０】
図１は、本発明の横置き型給湯器１００の構成の概略を示した構成図である。
【００２１】
図２は、横置き型給湯器１００を構成する貯湯タンク２０の構成の概略を示した構成図である。
【００２２】
図３は、貯湯タンク２０を構成する鏡板２４と、邪魔板２１の長手方向の端部とをＬ字型留め具２５にて固定する際の固定要領を示した説明図である。
【００２３】
図４は、貯湯タンク２０の短手方向の部分断面図である。
【００２４】
本願発明の横置き型給湯器１００は、図１に示すように横置筒状の、円筒状の貯湯タンク２０がその長手方向が略水平になるように横置きに設置されている。この貯湯タンク２０は、長手方向に形成された円筒形や角筒形等の筒形を呈しており、水平方向の断面積の広い横長筒状に形成され、更に、両端の鏡板２４が内部の圧力に耐えられるように外側に球面状に膨出されて形成されている。
【００２５】
この貯湯タンク２０の底部２３には、長手方向に延びて一端が外部に出ている給水管１１が配設されている。
【００２６】
給水管１１は、貯湯タンク２０外で水道などの図示しない給水設備に連結されており、他端が鏡板２４の近くまで延在されて塞がれており、下端に下方に向かって形成された小孔の給水孔１１ａが適宜間隔で多数設けられているとともに、外部加熱手段３０を介して、貯湯タンク２０の上部に連結されている。そして、貯湯タンク２０の近傍で流出管１３は、貯湯タンク２０から出湯させる出湯管１４とに分岐されている。
【００２７】
一方、給水管１１と流出管１２とは貯湯タンク２０外で連結され、必要に応じて図示しないバルブなどで流路が制御される。
【００２８】
また、貯湯タンク２０は、底部２３に配設された給水管１１のほぼ配設高さに貯湯タンク２０の長手方向に延びる邪魔板２１が、少なくとも一方の筒壁面２２、ここでは給水管１１の両側を挟むように筒壁面２２からそれぞれ一つずつ延在して設けられている。
【００２９】
この邪魔板２１は、貯湯タンク２０の筒壁面２２から、ここでは自由端２１ａが水平方向に向かって突出しているが、貯湯タンク２０の下方に向かって形成されていても良い。
【００３０】
また、邪魔板２１は、給水管１１のほぼ配設高さに設けられるとともに、給水管１１のほぼ配設長さに形成されており、その長手方向の両端部は鏡板２４と、Ｌ字型留め具２５にて固定している。
【００３１】
この鏡板２４と邪魔板２１とがＬ字型留め具２５にて固定する状態を図２、図３を用いて以下に詳述する。
【００３２】
図２に示す通り、邪魔板２１は、貯湯タンク２０を構成する筒壁面２２の内面と略平行に当接するように、組み付けられる。筒壁面２２と邪魔板２１とは当接するだけであり、溶接を初めとする固定手段を用いない。固定手段が用いられるのは、邪魔板２１の長手方向の端部のみである。
【００３３】
図３に示す通り、邪魔板２１の長手方向の端部には、ネジ穴２１ｂが穿設されている。また、鏡板２４の所定の部位にもネジ穴２４ａが穿設されている。
【００３４】
そして、ネジ２６ａが、Ｌ字型留め具２５に穿設されているネジ穴２５ａと、鏡板２４に穿設されているネジ穴２４ａとを貫通し、かしめるとともに、ネジ２６ｂがＬ字型留め具２５に穿設されているネジ穴２５ｂと邪魔板２１に穿設されているネジ穴２１ｂとを貫通し、かしめる事で、邪魔板２１を鏡板２４に固定する。
【００３５】
ちなみにこのＬ字型留め具２５は、請求項で示す略Ｌ字型の留め具に相当する。
【００３６】
図４に示すとおり、邪魔板２１を鏡板２４に接合した貯湯タンク２０の短手方向の断面は、上述した特許文献１に示される、邪魔板を貯湯タンクの内壁面に直接的に溶接した状況と遜色なく、底部２３から内壁面２２に沿って上昇しようとする流入したばかりの温度の低い水の上昇を抑止する事が可能な構成となる。
【００３７】
邪魔板２１を上述した構成にて固定する事で、邪魔板２１を貯湯タンク２０内に設ける工数を低減し、低コストで製造する事が可能な横置き型給湯器１００を提供する事が可能となる。
【００３８】
（第二実施形態）
上述した横置き型給湯器１００の貯湯タンク２０に固定される邪魔板２１は扁平な板状の部材であった。
【００３９】
しかし、図５に示すように、邪魔板２１の自由端２１ａは下方に向かって所定の曲面を形成するようにカーブしていても良い。
【００４０】
何故なら、給水孔１１ａから下方に向かって流入する、温度の低い水は、底部２３にて内壁面２２に当たり、そのまま左右に、内壁面２２に沿って分流する。
【００４１】
このまま内壁面２２に沿って上昇を続ければ、貯湯タンク２０の上部に層をなすように貯湯される温度の高い湯と混ざってしまい、出湯温度が低くなってしまう。
【００４２】
これを阻止する為の邪魔板２１なので、邪魔板２１に阻止される水流は、邪魔板２１の自由端２１ａが下方に向かってカーブしている方が、より確実に貯湯タンク２０の下方に誘導されるからである。
【００４３】
（第三実施形態）
上述した第一、第二実施形態に示す邪魔板２１は、左右一組のみ貯湯タンク２０に配設された例を示した。
【００４４】
しかし、従来のような貯湯タンクと邪魔板との溶接構造と異なり、本発明における貯湯タンク２０の内壁面２２と邪魔板２１とは、単に当接部位２１ｃにて当接しているだけである（図６参照）。
【００４５】
従って、貯湯タンク２０の底部２３から内壁面２２に沿って上昇してくる温度の低い水流は、内壁面２２と邪魔板２１との当接部位２１ｃから、にじみ出るようにして更に上昇を続ける可能性もある。
【００４６】
これを阻止する為に、邪魔板２１の上方に、邪魔板２１と略平行に第二の邪魔板２７を設け、当接部位２１ｃからにじみ出る温度の低い水流が上昇しないようにしても良い。
【００４７】
上述した構成にする事で、貯湯タンク２０内に流入したばかりの温度の低い水と、貯湯タンク２０の上方に層をなすように貯湯される温度の高い湯とが混ざり、湯の温度が下がる事をより確実に抑制する事が可能となる。
【図面の簡単な説明】
【００４８】
【図１】本発明の第一実施形態に係る横置き型給湯器１００の概略の構成を示す構成図である。
【図２】本発明の第一実施形態に係る横置き型給湯器１００を構成する貯湯タンク２０の概略の構成を示す構成図である。
【図３】本発明の第一実施形態に係る邪魔板２１と鏡板２４とがＬ字型留め具２５にて固定する際の固定要領を示した説明図である。
【図４】本発明の第一実施形態に係る貯湯タンク２０の短手方向の部分断面図である。
【図５】本発明の第二実施形態に係る貯湯タンク２０の短手方向の部分断面図である。
【図６】本発明の第三実施形態に係る貯湯タンク２０の短手方向の部分断面図である。
【符号の説明】
【００４９】
１１    給水管
１１ａ  給水孔
２０    貯湯タンク
２１    邪魔板
２２    内壁面
２３    底部
２４    鏡板
２５    Ｌ字型留め具
２６ａ、２６ｂ  ネジ
２７    第二の邪魔板
３０    外部加熱手段
１００  横置き型給湯器
【図１】
2005156009.tif 000003
【図２】
2005156009.tif 000004
【図３】
2005156009.tif 000005
【図４】
2005156009.tif 000006
【図５】
2005156009.tif 000007
【図６】
2005156009.tif 000008